(57)【要約】【課題】    奥行き、高さなどの異なるいろいろな引き戸と自動引き戸の駆動装置の雌ネジ体とが簡単に連結できる標準化された連結具を提供する。【解決手段】  自動引き戸の駆動装置の雌ネジ体に連結するための穴部と上下方向に長穴のネジ穴部とを有する連結具Ａと、引き戸１に設けられ上下方向の接合穴部を有する連結具Ｂと、クランク形状を呈し一方端は連結具Ａの長穴のネジ穴部に螺合されるネジ部を有し他方端は連結具Ｂの接合穴部に接合される軸形状を有する連結具Ｃと、によって構成されてなる自動引き戸の連結具【選択図】図２
2009052383.tif 000002
【特許請求の範囲】
【請求項１】
下車付き引き戸の上部に平行して設けられたリードの大きいネジ軸と駆動モータと軸受と雌ネジ体と制御装置とからなる自動引き戸の駆動装置ユニットのうちの雌ネジ体と前記引き戸とを自在に連結する連結具であって前記雌ネジ体に連結されるための穴部と上下方向に長穴のネジ穴部とを有する連結具Ａと前記引き戸に設けられ上下方向の接合穴部を有する連結具Ｂとクランク形状を呈し少なくとも一方端は前記連結具Ａの長穴のネジ穴部に螺合されるネジ部を有し他方端は前記引き戸に設けられた連結具Ｂの上下方向の接合穴部に接合される軸形状を有する連結具Ｃによって構成されてなる自動引き戸の連結具
【発明の詳細な説明】
【技術分野】
【０００１】  本発明は自動開閉引き戸の駆動ユニットと引き戸とを連結する連結具に関する
【背景技術】
【０００２】  今日、数多くの自動ドアが世に送り出されてきており、その進歩には目を見張るものがある。電動式の駆動方法も種々考えられて来ているがその代表例としてはあらかじめレール上を往復して開閉する引き戸の上部に、この引き戸のスライド方向と平行してネジ軸が設けられネジ軸の一端に正逆回転可能な駆動源を設け、引き戸からこのネジ軸に螺合する雌ねじ体を設けてなる自動開閉扉の駆動装置（特許文献１参照）が提供されてきていた。また本発明者も平鋼を等ピッチで捩じった平鋼スパイラルロッドの両端部を加工して製作した平鋼スパイラルロッド回転軸とこの溝に噛合う螺合歯を有する半割りの移動子を対に構成した移動体とにより構成した自動開閉扉の駆動装置（特許文献２参照）を提供してきていた。この特許文献２の駆動装置は新築建物の引き戸だけでなく、従来からの引き戸をリニュアルして自動引き戸にすることも可能な装置である。【０００３】
【特許文献１】実開平２−５３４７８号公報
【特許文献２】特願２００７−１０７５９１号公報
【発明の開示】
【発明が解決しようとする課題】
【０００４】  従来からの引き戸はどちらかといえば下車付の引き戸が多く、また、いろいろな場所にあり、引き戸の上部には適当な自動引き戸の駆動装置ユニットの設置空間があるもののその設置場所と引き戸との関係は高さや奥行などが本当にまちまちであり、設置するたび毎に引き戸と駆動装置ユニットとの位置関係を計測して連結ブラケットを１回１回製作しなければならないという不都合があった。本発明はかかる問題を解決することを目的として提供されたものである。
【課題を解決するための手段】
【０００５】  本発明者はかかる問題を、標準化連結ブラケットを製作し、高さ調整と奥行き調整とが同時に調整可能な連結具を開発することにより解決した。即ち本発明は下車付き引き戸の上部に平行して設けられたリードの大きいネジ軸と駆動モータと軸受と雌ネジ体と制御装置とからなる自動引き戸の駆動装置ユニットのうちの雌ネジ体と前記引き戸とを自在に連結する連結具であって前記雌ネジ体に連結されるための穴部と上下方向に長穴のネジ穴部とを有する連結具Ａと前記引き戸に設けられ上下方向の接合穴部を有する連結具Ｂとクランク形状を呈し少なくとも一方端は前記連結具Ａの長穴のネジ穴部に螺合されるネジ部を有し他方端は前記引き戸に設けられた連結具Ｂの上下方向の接合穴部に接合される軸形状を有する連結具Ｃによって構成されてなる自動引き戸の連結具である。【０００６】  この連結具Ｂにおける上下方向の接合穴部は単なるはめ込み穴であってもネジ穴部であっても良く、ネジ穴部の場合には連結具Ｃの他方端もまたネジ穴部に螺合されるネジ部を持つことになる。また実際に取り付けする時にはこの連結具Ｃのネジ部にはあらかじめロック用のナットを装着し、雌ネジ体と連結具Ａとを繋ぎ、更に連結具Ａと連結具Ｃとで高さ調節しながら繋ぎ、引き戸正面上部に取り付けする連結具Ｂと連結具Ｃの他端とを高さ調節して繋いだ上最後に連結具Ｂを引き戸に装着してすべての位置関係が決定されてから連結具Ｃに設けられたロックナットでそれぞれの連結状態をロックすることになる。【０００７】  更に安全を期するために連結具Ａと連結部Ｂのネジ穴部の所定位置にこのネジ穴部と直角にロックネジ穴部を設け、位置決めが確定してから前記したロックナットと共にこのネジ穴部に６角穴付止めネジ（ホーローセットスクリュー）でもって２重ロックすれば更に好ましい。
【発明の効果】
【０００８】  本発明の連結具は構造が簡単でしかも高さ調整もネジにより簡単に出来、また奥行き調整も連結具Ｃがクランク形状あり、少なくとも一端部にはネジ部が設けられているため前後方向に首振り回動が可能であるため簡単に出入り調整が変更でき、高さと奥行きとが決定した時点でロックナットによりロックさえすれば直ちに自動ドアが出来上がることになる。この連結具は１種類で奥行きや高さの異なる引き戸との数多くの連結パターンに使用可能であり更に大量生産が可能であるため安価という効果がある。
【発明を実施するための最良の形態】
【０００９】  本発明における自動引き戸の駆動装置と引き戸との連結具を図に基づいて説明すると、図１は実施例１の本装置を取り付けした際の正面図、図２は実施例１における連結具の斜視図で、図３はもう一つの実施例２の連結具の斜視図であり、実施例１と共通の連結具Ａを除いたものである。【００１０】  図に基づいて実施例１の構成を説明すると図１、図２において下車１３、１３付き引き戸１の上部に平行して設けられたリードの大きいネジ軸２と駆動モータ３と軸受４、４と雌ネジ体５と制御装置６とからなる自動引き戸の駆動装置ユニット７のうちの雌ネジ体５と引き戸１とを自在に連結する連結具８であって雌ネジ体５に連結されるための穴部と上下方向に長穴のネジ穴部とを有する連結具Ａ９と引き戸１に設けられ上下方向の接合穴部を有する連結具Ｂ１１とクランク形状を呈し一方端は連結具Ａ９の長穴のネジ穴部に螺合されるネジ部を有し他方端もまた引き戸１に設けられた連結具Ｂ１１の上下方向のネジ穴部に螺合されるネジ部を有する連結具Ｃ１０によって構成されてなる自動引き戸の連結具である。連結具Ｃ１０の両端ネジ部にはあらかじめロックナット１２、１２が設けられている。【００１１】  次に取り付け要領を説明すると、まず、引き戸上部に平行して自動引き戸の駆動装置ユニット７が設けられた後、この雌ネジ体５と連結具Ａとを仮連結し、連結具Ａの長穴部に連結具Ｃをネジ込み、回動させながら引き戸１との高さ調整をする。連結具Ａと連結具Ｃ間で高さ調整が出来ない場合は連結具Ｂと連結具Ｃ間でさらに高さ調整を行なう。高さ調整が終了するとそのまま連結具Ｂを引き戸に固着すれば良い。それぞれの取り付けが終了した後、連結具Ｃの両方のネジ部にあらかじめ設けられたロックナット１２、１２によりロックすれば自動引き戸が完成する。ロックナット１２、１２の固定で不十分の場合は連結具Ａと連結部Ｂのネジ穴部の所定位置にこのネジ穴部と直角にロックネジ穴部（図示せず）を設け、位置決めが確定してから前記したロックナット１２、１２と共にこのネジ穴部に６角穴付止めネジ（ホーローセットスクリュー）でもって２重ロックとすれば良い。【００１２】  次に実施例２の構成を説明すると、実施例２は図３に示すように引き戸１に設けられる連結具Ｂの接合穴部がネジではなく単なるはめ込み穴になっており、それに伴って連結具Ｃもまたネジではなく単なるはめ込み軸になっており、その他については実施例１と同様である。他方端は実施例１と同様ネジ連結になっており、高さ調整はそのネジ部にて行なう。各連結具の位置が決まり次第ロックナット１２をロックすればよい。取り付け要領については実施例１と同様であるため説明を省略する。
【図面の簡単な説明】
【００１３】
【図１】本発明の実施例１の連結具を取り付けした際の正面図
【図２】図１における連結具の構成を説明する斜視図
【図３】実施例２の連結具の構成を示す斜視図で図２と異なる部品の斜視図
【符号の説明】
【００１４】  １、引き戸
２、螺旋溝軸
３、駆動モータ
４、軸受
５、雌ネジ体
６、制御装置
７、駆動装置ユニット
８、連結具
９、連結具Ａ
１０、連結具Ｃ
１１、連結具Ｂ
１２、ロックナット
１３、下車
【図１】
2009052383.tif 000003
【図２】
2009052383.tif 000004
【図３】
2009052383.tif 000005